(57)【要約】  【課題】根を切断した植物を長期間生息させることができるようにする。  【解決手段】  養分水が供給される容体に、根から切断された植物の幹や枝の切断部分を受け入れる差し込み部を設ける。容体に充満する養分水の水圧を高め、差し込み部に差し込まれた前記幹や枝の切断部分に養分水の水圧をかける。この水圧により幹や枝の内部に養分水が押し込まれるようにする。【選択図】図１
2010136659.tif 000002
【特許請求の範囲】
【請求項１】
養分水が供給される容体に、根から切断された植物の幹や枝の切断部分を受け入れる差し込み部を設け、該容体に充満する養分水の水圧を高め、差し込み部に差し込まれた前記幹や枝の切断部分に養分水の水圧をかけ、この水圧により前記幹や枝の内部に養分水を押し込むようにしたことを特徴とする根から切断された植物の延命方法。
【請求項２】
吐出口から圧力を高めた空気を出力する空気加圧調整機構と、前記空気加圧調整機構と連結し、出口から高圧の水を吐出する吸水タンクと、差し込み部を有し、該差し込み部に差し込まれた植物の幹や枝の切断部分に前記吸水タンクから供給された高圧の水の水圧をかけ、幹や枝の内部に高圧水を押し込むようにした圧力給水接続機構とを備えたことを特徴とする根から切断された植物の延命装置。
【請求項３】
前記圧力給水接続機構を、前記給水タンクに接続する容体と、差し込み部を有し前記容体に取り付けられたゴム体とで構成し、前記差し込み部を略円錐形としたことを特徴とする請求項２に記載の根から切断された植物の延命装置。
【請求項４】
前記差し込み部の外周部に板状のリブを複数一体的に形成し、該リブの側面を前記容体の内壁面に圧接し、該圧接力によって前記差し込み部に前記容体を密閉する方向にゴム圧がかかるようにしたことを特徴とする請求項３に記載の根から切断された植物の延命装置。
【発明の詳細な説明】
【技術分野】
【０００１】
本発明は、根から切断された植物の延命方法及び装置に関する。
【背景技術】
【０００２】
植物は根を地中深く伸ばし、広大な根の表面積から養分を含む水を吸収して生息している。植物は、葉から蒸発する水分の導管内の水圧変化で、養分を吸収している。幹あるいは枝を切断するとその機能を失い枯れてしまう。切断した部分を水にさして置くと、しばらくは生きているが長持ちはしないのが現状である。
【発明の開示】
【発明が解決しようとする課題】
【０００３】
水にさした幹あるいは枝を切断した植物が長持ちしない理由は、蒸発循環機能の損壊と植物の生命力の衰退が大きく影響しているものと考えられる。植物が蒸発循環機能だけで生息するならば、水に差した植物は枯れることがないはずであるが、枯れてしまう。これは、根の役割には水を吸収する機能の他に、水を植物の内部に押し込む力、言い換えれば水を内部に押し出す力が働いているものと考えることができる。このような考えに基づいて、養分水を加圧し、植物の幹の切断部分の内部に養分水を押し込む圧力を付与したところ、植物は枯れることなく、切断する前よりも力強く成長することが実験的に確認することができた。
本発明の主たる目的は、植物の幹や枝の切断部分に圧力給水をすることにより、植物を長く元気に生息させることである。
【課題を解決するための手段】
【０００４】
上記目的を達成するため本発明は、養分水が供給される容体に、根から切断された植物の幹や枝の切断部分を受け入れる差し込み部を設け、該容体に充満する養分水の水圧を高め、差し込み部に差し込まれた前記幹や枝の切断部分に養分水の水圧をかけ、この水圧により前記幹や枝の内部に養分水を押し込むようにしたものである。
また本発明は、吐出口から圧力を高めた空気を出力する空気加圧調整機構と、前記空気加圧調整機構と連結し、出口から高圧の水を吐出する吸水タンクと、差し込み部を有し、該差し込み部に差し込まれた植物の幹や枝の切断部分に前記吸水タンクから供給された高圧の水の水圧をかけ、幹や枝の内部に高圧水を押し込むようにした圧力給水接続機構とを備えたものである。
また本発明は、前記圧力給水接続機構を、前記給水タンクに接続する容体と、差し込み部を有し前記容体に取り付けられたゴム体とで構成し、前記差し込み部を略円錐形としたものである。
また本発明は、前記差し込み部の外周部に板状のリブを複数一体的に形成し、該リブの側面を前記容体の内壁面に圧接し、該圧接力によって前記差し込み部に前記容体を密閉する方向にゴム圧がかかるようにしたものである。
【発明の効果】
【０００５】
本発明は、生花を長時間生息させることができる。また大きい幹でも生息が可能であり、コンクリートの床に大木の生花をデザインすることができる。また、土のいらない樹木の育成ができ、狭い空間での植物栽培が可能となる。また、土の重量問題を解決できるので、屋上緑化の重量の問題を解決することができる。
【発明を実施するための最良の形態】
【０００６】
以下に本発明の実施の形態を添付した図面を参照して詳細に説明する。
図１は、植物延命装置の全体構成を示す説明図である。本装置は、空気加圧調整機構２と、給水タンク４と、圧力給水接続機構６を主たる構成要素としている。空気加圧調整機構２は、コントローラ（図示省略）により制御される空圧ポンプを内蔵し、その圧力空気吐出口が空気送圧管８を介して、給水タンク４の上部の連結部１０に連結している。
【０００７】
給水タンク４の内部には、タンク４内に配置された水１２の除菌や浄化を行うための除菌・浄化材１４が配置されている。給水タンク４の上部には、補給水口１６が開閉バルブ１８を有するパイプを介して連結し、補給水口１６に連結する水道などの給水源から、補給水口１６とバルブ１８を経て、水が給水タンク４内に供給されるように構成されている。給水タンク４内には、水位警報器２０の水位検出部が内置されている。
【０００８】
給水タンク４内の水位が所定の水位に達すると、コントローラ（図示省略）は、バルブ１８を開き、給水タンク４内の水が所定の水位を維持するように自動制御される。給水タンク４の底部には、内部の水を外部に排出するための出口２０が設けられ、この出口２０に水圧給水を行うための給水管２２が連結している。給水管２２の給水経路には、上流側から、順次、水溶性の固形肥料が入っている肥料用タンク２４，逆流防止弁２６、分岐管２８，２８が設けられている。
【０００９】
任意の数設けられた分岐管２８，２８の分岐口には、それぞれ、給水バルブ３０を備えた管を介して、圧力給水接続機構６，６が連結している。圧力給水接続機構６，６は、図２に示すように、外周部にナット用のねじが切られた筒状部３２ａと、漏斗状の底部３２ｂから成る容体３２の上部に、ゴム材からなるパッキン体３４の上部３４ａが、固定ナット３５により、取り付けられている。パッキン体３４は、リング状のつば部３４ａと、円錐状に先細りに形成された差し込み部３４ｂを有している。
【００１０】
差し込み部３４ｂの外周面には、軸方向に延びる複数の板状のリブ３６が略等間隔で一体的に形成され、各リブ３０の開放端側縁部３６ａは、容体３２の内周面に圧着し、この圧着による圧力により、差し込み部３４ｂに、該差し込み部３４ｂが閉じる方向にゴム圧がかかるように構成されている。リブ３６は、図４に示すように、横断面形状が互いに弓状にわん曲して形成され、このわん曲形状によって、パッキン体３４を容体３２の筒状容部３２ａに、その開口部から、軸方向に沿って圧入し易くしている。
【００１１】
パッキン体３４は、容体３２内を密閉状態とし、内部に水が圧送されると水圧がかかるように構成されている。差し込み部３４ｂの閉じた部分は、ゴムの弾力に抗して押し広げることができ、植物３８の幹や枝を差し込むことができるようになっている。このとき、差し込み部３４ｂは、差し込まれた幹や枝によって栓がされた状態となり、容体３２内の高圧水が外部に漏れないようになっている。
【００１２】
上記した構成において、コントローラの制御あるいは手操作により、開閉バルブ１８を開き、給水タンク４内を所定の水位まで、水で満たしておく。一方、空気加圧調整機構２を駆動し、空気送圧管８を通じて、給水タンク４に空気を圧送し、給水タンク４内を外部の気圧よりも高い所定の高気圧に設定する。給水バルブ３０を開くと、圧力給水接続機構６の容体３２内に給水管２２を通じて、給水タンク４内の水が養分水として供給される。尚、給水管２２の端部２２ａは閉じている。
【００１３】
容体３２内は、密閉状態にあり、給水タンク４から供給される高圧水が充満し、容体３２の内壁面やパッキン体３４の、容体３２の内部と接する壁面に、所定の高水圧がかかる。生花などの植物３８の切断した幹を差し込み部３４ｂのくぼみに差し込み、幹の下端を差し込み部３４ｂの下方に突出させ、容体３２の内部に位置させる。
【００１４】
差し込み部３４ｂに差し込まれた幹には、差し込み部３４ｂがゴム圧により密着し、容体３２内の密閉状態が保持される。そのため、植物３８の幹には、容体３２内の高水圧がかかり、この水圧により、植物３８の幹に栄養分が溶けた養分水が押し込まれる。容体３２内の水圧は植物の種類に応じて、０．１ｋｇ／平方センチメートル〜２ｋｇ／平方センチメートルが望ましい。
【図面の簡単な説明】
【００１５】
【図１】本装置の全体説明図である。
【図２】本発明の要部の断面図である。
【図３】パッキン体の正面図である。
【図４】パッキン体の底面図である。
【符号の説明】
【００１６】
２      空気加圧調整機構
４      給水タンク
６      圧力給水接続機構
８      空気送圧管  
１０    連結部
１２    水
１４    除菌・浄化材
１６    補給水口
１８    開閉バルブ
２０    出口
２２    給水管
２４    肥料用タンク
２６    逆流防止弁
２８    分岐管
３０    給水バルブ
３２ａ  筒状容部
３２ｂ  底部
３２    容体
３４    パッキン体
３４ａ  つば部
３４ｂ  差し込み部
３６    リブ
３８    植物
【図１】
2010136659.tif 000003
【図２】
2010136659.tif 000004
【図３】
2010136659.tif 000005
【図４】
2010136659.tif 000006